(57)【要約】      （修正有）【課題】燃料電池システムを搭載する移動体から排出される液水の飛散に起因する問題を抑制する燃料電池システムを提供する。【解決手段】移動体に駆動用電源として搭載される燃料電池システムは、燃料電池２２と、燃料電池２２に接続されて燃料電池２２から排出される燃料電池排ガスが流れる排ガス配管であって、移動体外部に開口する開口部を備え、燃料電池排ガスを開口部へと導く排ガス配管と、排ガス配管の途中に設けられ、燃料電池排ガス中の水蒸気を凝縮させる凝縮部５５と、排ガス配管の途中において、凝縮部５５の下流に設けられ、燃料電池排ガスを加熱する加熱部２７と、を備える。加熱部２７は、燃料電池排ガスが排気口３４から排出される際に、燃料電池排ガス中の水蒸気が凝縮しない温度となるように、燃料電池排ガスを加熱する。【選択図】図２
2009283243.tif 000002
【特許請求の範囲】
【請求項１】
移動体に駆動用電源として搭載される燃料電池システムであって、
燃料電池と、
前記燃料電池に接続されて前記燃料電池から排出される燃料電池排ガスが流れる排ガス配管であって、前記移動体外部に開口する開口部を備え、前記燃料電池排ガスを前記開口部へと導く排ガス配管と、
前記排ガス配管の途中に設けられ、前記燃料電池排ガス中の水蒸気を凝縮させる凝縮部と、
前記排ガス配管の途中において、前記凝縮部の下流に設けられ、前記燃料電池排ガスを加熱する加熱部と、
を備え、
前記加熱部は、前記燃料電池排ガスが前記開口部から排出される際に、前記燃料電池排ガス中の水蒸気が凝縮しない温度となるように、前記燃料電池排ガスを加熱する
燃料電池システム。
【請求項２】
請求項１記載の燃料電池システムであって、さらに、
少なくとも、前記燃料電池から排出されるときの前記燃料電池排ガスの温度と、前記凝縮部からの放熱量と、に基づいて、前記開口部において前記燃料電池排ガスが水蒸気の凝縮しない温度となるように、前記加熱部における加熱量を制御する制御部を備える
燃料電池システム。
【請求項３】
請求項２記載の燃料電池システムであって、
前記凝縮部は、外気を利用した前記燃料電池排ガスの冷却によって、前記燃料電池排ガス中の水蒸気を凝縮させ、
前記制御部は、外気温および前記移動体の速度に基づく値として、前記凝縮部からの放熱量を考慮して、前記加熱部による加熱量を制御する
燃料電池システム。
【請求項４】
請求項１または２記載の燃料電池システムであって、さらに、
前記燃料電池に対して燃料ガスとして供給するための水素を充填した水素タンクを備え、
前記凝縮部は、前記水素タンクと熱的に接続されており、前記水素タンクからの水素の放出に伴う前記水素タンクの温度低下を利用した前記燃料排ガスの冷却によって、前記燃料電池排ガス中の水蒸気を凝縮させる
燃料電池システム。
【請求項５】
移動体に駆動用電源として搭載される燃料電池システムであって、
燃料電池と、
前記燃料電池に接続されて前記燃料電池から排出される燃料電池排ガスが流れる排ガス配管であって、前記移動体外部に開口する開口部を備え、前記燃料電池排ガスを前記開口部へと導く排ガス配管と、
前記排ガス配管の途中に設けられ、前記燃料電池排ガスを冷却することによって、前記燃料電池排ガス中の水蒸気を凝縮させる凝縮部と、
前記排ガス配管の途中において、前記凝縮部の下流に設けられ、前記燃料電池排ガスを加熱する加熱部と、
を備え、
前記凝縮部は、前記燃料電池排ガスが前記開口部から排出される際に、前記燃料電池排ガス中の水蒸気が凝縮しない温度となるように、前記燃料電池排ガスを冷却する
燃料電池システム。
【請求項６】
請求項５記載の燃料電池システムであって、さらに、
少なくとも、前記燃料電池から排出されるときの前記燃料電池排ガスの温度と、前記加熱部による加熱量と、に基づいて、前記開口部において前記燃料電池排ガスが水蒸気の凝縮しない温度となるように、前記凝縮部における前記燃料電池排ガスからの放熱量を制御する制御部を備える
燃料電池システム。
【請求項７】
請求項６記載の燃料電池システムであって、
前記凝縮部は、外気を利用した前記燃料電池排ガスの冷却によって、前記燃料電池排ガス中の水蒸気を凝縮させると共に、外気による冷却に寄与する前記凝縮部の表面積を調節する外気量調節部を備え、
前記制御部は、外気温および前記移動体の速度に応じて、前記外気量調節部を制御する
燃料電池システム。
【請求項８】
請求項１ないし７いずれか記載の燃料電池システムであって、
前記燃料電池は、プロトン伝導性を有する電解質層を備え、
前記燃料電池排ガスは、少なくともカソードオフガスを含む
燃料電池システム。
【請求項９】
請求項１ないし８いずれか記載の燃料電池システムであって、さらに、
前記凝縮部で凝縮された液水を貯蔵する液水貯蔵部を備える
燃料電池システム。
【請求項１０】
請求項１ないし９いずれか記載の燃料電池システムを搭載した移動体。
【発明の詳細な説明】
【技術分野】
【０００１】
この発明は、燃料電池システム、および、燃料電池システムを搭載する移動体に関する。
【背景技術】
【０００２】
電気自動車などの移動体として、駆動用電源に燃料電池を用いる構成が知られている。燃料電池では、一般に、発電に伴って水が生じるため、燃料電池から排出される燃料電池排ガスは多くの水蒸気を含んでいる。そのため、駆動用電源として燃料電池を搭載する移動体では、燃料電池排ガスと共に液水が排出される場合があり、このように液水が排出されると、排出された液水が、周囲を走行する他の移動体や周囲の歩行者、あるいは周囲の建造物に飛散するという不都合を生じる可能性があった。このような不都合を抑制する方策の一つとして、従来は、液水が排出される排出口を移動体の前部に配置して、液水が飛散したとしても後方や側方への影響を抑える構成が提案されていた（例えば、特許文献１参照）。
【０００３】
【特許文献１】特開２００５−１５３８５２
【特許文献２】特開２００４−３９４６２
【特許文献３】特開２００３−１４２１３６
【特許文献４】特開２００２−３１３３８３
【特許文献５】特開２００４−３３５１７７
【発明の開示】
【発明が解決しようとする課題】
【０００４】
しかしながら、液水が排出される排出口を移動体の前部に配置しても、排出口の位置に関わらず液水の排出は行なわれるため、排出される液水に起因する問題を、充分に抑制できない場合があった。
【０００５】
本発明は、上述した従来の課題を解決するためになされたものであり、移動体から排出される液水の飛散に起因する問題を抑制することを目的とする。
【課題を解決するための手段】
【０００６】
本発明は、上述の課題の少なくとも一部を解決するためになされたものであり、以下の形態または適用例として実施することが可能である。
【０００７】
［適用例１］
移動体に駆動用電源として搭載される燃料電池システムであって、
燃料電池と、
前記燃料電池に接続されて前記燃料電池から排出される燃料電池排ガスが流れる排ガス配管であって、前記移動体外部に開口する開口部を備え、前記燃料電池排ガスを前記開口部へと導く排ガス配管と、
前記排ガス配管の途中に設けられ、前記燃料電池排ガス中の水蒸気を凝縮させる凝縮部と、
前記排ガス配管の途中において、前記凝縮部の下流に設けられ、前記燃料電池排ガスを加熱する加熱部と、
を備え、
前記加熱部は、前記燃料電池排ガスが前記開口部から排出される際に、前記燃料電池排ガス中の水蒸気が凝縮しない温度となるように、前記燃料電池排ガスを加熱する
燃料電池システム。
【０００８】
適用例１に記載の燃料電池の製造方法では、燃料電池排ガスが開口部から排出される際に、燃料電池排ガス中の水蒸気が凝縮しない温度となるように、加熱部が燃料電池排ガスを加熱するため、開口部からの液水の飛散を抑制することができる。
【０００９】
［適用例２］
適用例１記載の燃料電池システムであって、さらに、少なくとも、前記燃料電池から排出されるときの前記燃料電池排ガスの温度と、前記凝縮部からの放熱量と、に基づいて、前記開口部において前記燃料電池排ガスが水蒸気の凝縮しない温度となるように、前記加熱部における加熱量を制御する制御部を備える燃料電池システム。適用例２記載の燃料電池システムによれば、燃料電池システムおよび燃料電池システムを搭載する移動体の状態が変動する場合であっても、制御部が行なう制御によって、開口部からの液水の飛散を安定して抑制することができる。
【００１０】
［適用例３］
適用例２記載の燃料電池システムであって、前記凝縮部は、外気を利用した前記燃料電池排ガスの冷却によって、前記燃料電池排ガス中の水蒸気を凝縮させ、前記制御部は、外気温および前記移動体の速度に基づく値として、前記凝縮部からの放熱量を考慮して、前記加熱部による加熱量を制御する燃料電池システム。適用例３記載の燃料電池システムによれば、外気温や移動体の速度が変化して、凝縮部からの放熱量が変動する場合であっても、開口部からの液水の飛散を、安定して抑制することができる。
【００１１】
［適用例４］
適用例１または２記載の燃料電池システムであって、さらに、前記燃料電池に対して燃料ガスとして供給するための水素を充填した水素タンクを備え、前記凝縮部は、前記水素タンクと熱的に接続されており、前記水素タンクからの水素の放出に伴う前記水素タンクの温度低下を利用した前記燃料排ガスの冷却によって、前記燃料電池排ガス中の水蒸気を凝縮させる燃料電池システム。適用例４記載の燃料電池システムによれば、水素タンクとの熱的な接続という簡素な構成により、燃料電池排ガス中の水蒸気を凝縮させることができる。
【００１２】
［適用例５］
移動体に駆動用電源として搭載される燃料電池システムであって、
燃料電池と、
前記燃料電池に接続されて前記燃料電池から排出される燃料電池排ガスが流れる排ガス配管であって、前記移動体外部に開口する開口部を備え、前記燃料電池排ガスを前記開口部へと導く排ガス配管と、
前記排ガス配管の途中に設けられ、前記燃料電池排ガスを冷却することによって、前記燃料電池排ガス中の水蒸気を凝縮させる凝縮部と、
前記排ガス配管の途中において、前記凝縮部の下流に設けられ、前記燃料電池排ガスを加熱する加熱部と、
を備え、
前記凝縮部は、前記燃料電池排ガスが前記開口部から排出される際に、前記燃料電池排ガス中の水蒸気が凝縮しない温度となるように、前記燃料電池排ガスを冷却する
燃料電池システム。
【００１３】
適用例５に記載の燃料電池の製造方法では、燃料電池排ガスが開口部から排出される際に、燃料電池排ガス中の水蒸気が凝縮しない温度となるように、凝縮部が燃料電池排ガスを冷却するため、開口部からの液水の飛散を抑制することができる。
【００１４】
［適用例６］
適用例５記載の燃料電池システムであって、さらに、少なくとも、前記燃料電池から排出されるときの前記燃料電池排ガスの温度と、前記加熱部による加熱量と、に基づいて、前記開口部において前記燃料電池排ガスが水蒸気の凝縮しない温度となるように、前記凝縮部における前記燃料電池排ガスからの放熱量を制御する制御部を備える燃料電池システム。適用例６記載の燃料電池システムによれば、燃料電池システムおよび燃料電池システムを搭載する移動体の状態が変動する場合であっても、制御部が行なう制御によって、開口部からの液水の飛散を安定して抑制することができる。
【００１５】
［適用例７］
適用例６記載の燃料電池システムであって、前記凝縮部は、外気を利用した前記燃料電池排ガスの冷却によって、前記燃料電池排ガス中の水蒸気を凝縮させると共に、外気による冷却に寄与する前記凝縮部の表面積を調節する外気量調節部を備え、前記制御部は、外気温および前記移動体の速度に応じて、前記外気量調節部を制御する燃料電池システム。適用例７記載の燃料電池システムによれば、外気温や移動体の速度が変化して、凝縮部からの放熱量が影響を受ける場合であっても、開口部からの液水の飛散を抑制することができる。
【００１６】
［適用例８］
適用例１ないし７いずれか記載の燃料電池システムであって、前記燃料電池は、プロトン伝導性を有する電解質層を備え、前記燃料電池排ガスは、少なくともカソードオフガスを含む燃料電池システム。適用例８記載の燃料電池システムによれば、発電に伴ってカソードで生じた生成水が、カソードオフガスの排出時に液水として飛散することを、抑制可能となる。
【００１７】
［適用例９］
適用例１ないし８いずれか記載の燃料電池システムであって、さらに、前記凝縮部で凝縮された液水を貯蔵する液水貯蔵部を備える燃料電池システム。適用例９記載の燃料電池システムによれば、凝縮部において凝縮した液水が、移動体の移動中に液水として飛散することを防止可能となる。
【００１８】
本発明は、上記以外の種々の形態で実現可能であり、例えば、本願発明に係る燃料電池システムを搭載する移動体や、移動体に駆動用電源として搭載される燃料電池システムにおける燃料電池排ガス排出方法などの形態で実現することが可能である。
【発明を実施するための最良の形態】
【００１９】
Ａ．装置の全体構成：
図１は、本発明の第１実施例としての燃料電池システム１０の概略構成を表わすブロック図である。本実施例の燃料電池システム１０は、車両に搭載され、車両の駆動用電源として用いられる。燃料電池システム１０は、発電の本体である燃料電池２２と、燃料電池２２に対して水素を含有する燃料ガスを供給するための燃料ガス供給部２３と、燃料電池２２に対して酸素を含有する酸化ガスとしての空気を供給するためのブロワ２４と、を備えている。燃料電池２２としては種々の種類の燃料電池を用いることが可能であるが、本実施例では、燃料電池２２として固体高分子型燃料電池を用いている。この燃料電池２２は、複数の単セルを積層したスタック構造を有している。
【００２０】
燃料ガス供給部２３は、例えば、純度の高い水素ガスを貯蔵する水素タンクとすることができる。このような水素タンクとしては、例えば、高圧水素を貯蔵する水素ボンベとすることができ、あるいは、水素吸蔵合金を内部に備えるタンクとすることができる。また、燃料ガス供給部２３は、炭化水素やアルコールなどの燃料タンクおよび改質器を備えて水素リッチな改質ガスを供給する燃料改質装置としても良い。燃料ガス供給部２３と燃料電池２２との間は燃料ガス供給路３０によって接続されており、燃料電池２２内を流れて排出される燃料ガス（アノードオフガス）は、燃料電池２２に接続する燃料排ガス路３１へと排出される。
【００２１】
ブロワ２４と燃料電池２２との間は、酸化ガス供給路３２によって接続されており、燃料電池内を流れて排出される酸化ガス（カソードオフガス）は、燃料電池２２に接続する酸化排ガス路３３へと排出される。この酸化排ガス路３３には、凝縮部５５と、加熱部２７と、カソードオフガスを車両外部に放出するための開口部と、が形成されているが、このようなカソードオフガスの排出に係る構成は、本願発明の要部に対応する構成であるため、後に詳述する。
【００２２】
また、燃料電池システム１０は、燃料電池２２の内部温度を調節するための冷媒循環部４０を備える。冷媒循環部４０は、燃料電池２２の内部および外部に設けられて内部を冷媒が循環する冷媒流路４２と、冷媒流路４２に接続して設けられて冷媒流路４２内を循環する冷媒を冷却するラジエータ４１と、を備える。また、冷媒循環部４０は、冷媒流路４２に設けられて冷媒流路４２内で冷媒を循環させる駆動力を発生する冷媒ポンプ４３と、冷媒流路４２において燃料電池２２からの冷媒出口近傍に設けられた第１温度センサ４４と、を備える。第１温度センサ４４における検出値は、燃料電池２２の内部温度を精度良く反映する。
【００２３】
さらに、燃料電池システム１０は、燃料電池システム１０の各部の動きを制御する制御部５０を備えている。制御部５０は、マイクロコンピュータを中心とした論理回路として構成され、詳しくは、予め設定された制御プログラムに従って所定の演算などを実行するＣＰＵと、ＣＰＵで各種演算処理を実行するのに必要な制御プログラムや制御データ等が予め格納されたＲＯＭと、同じくＣＰＵで各種演算処理をするのに必要な各種データが一時的に読み書きされるＲＡＭと、各種の信号を入出力する入出力ポート等を備える。この制御部５０は、各種センサ、例えば既述した第１温度センサ４４の検出信号や、車両に設けられた車速センサあるいは外気温センサ等からの検出信号、あるいは、燃料電池２２に対する負荷要求に関する情報などを取得する。また、燃料電池システム１０が備える加熱部２７、冷媒ポンプ４３あるいはブロワ２４など、燃料電池２２の発電に関わる各部に駆動信号を出力する。
【００２４】
Ｂ．カソードオフガスの排出に係る構成：
図２は、燃料電池システム１０における酸化排ガス路３３を含むカソードオフガスの排出に係る構成の概略を表わす説明図である。既述したように、酸化排ガス路３３には、凝縮部５５と、加熱部２７と、カソードオフガスを車両外部に放出するための開口部と、が形成されている。凝縮部５５は、酸化排ガス路３３における燃料電池２２との接続部の近傍を構成する流路の一部が形成する構造であって、車両が走行する際には流路外壁の周囲に走行風が流れて、走行風を利用して流路内のカソードオフガスを冷却可能となる位置に設けられている。図２では、凝縮部５５をＵ字管状に表わしているが、ラジエータ状に薄い流路を折りたたんだ形状に形成して、表面積をより大きく確保し、走行風を利用した冷却効率を向上させても良い。
【００２５】
燃料電池が発電する際には、カソードにおいて水が生じるため、燃料電池２２から排出されるカソードオフガスにおける蒸気圧は、ほぼ飽和蒸気圧となっている。このようなカソードオフガスは、酸化排ガス路３３へと排出されて、凝縮部５５に流入し、上記のように走行風を利用して冷却される。カソードオフガスが冷却されて降温し、飽和蒸気圧が低下することにより、カソードオフガス中に含まれる水蒸気の一部が凝縮し、生じた液水は、凝縮部５５内部に滞留する。このように凝縮部５５内に滞留する液水の、凝縮部５５における冷却効率に対する影響が許容範囲であれば、液水を凝縮部５５内に貯留することとしても良い。あるいは、図２に示すように、凝縮部５５と接続流路５６で接続された貯留タンク５８を設け、凝縮水は、この貯留タンク５８に貯留しても良い。貯留した凝縮水は、例えば、車両の停車時に、貯留タンク５８に設けた弁５７を開放して車両外部に排出すれば、凝縮させた水が、走行中の車両から飛散することがない。
【００２６】
加熱部２７は、酸化排ガス路３３において、凝縮部５５よりも下流に設けられた構造である。加熱部２７は、酸化排ガス路３３を構成する流路の一部において、外壁近傍にヒータが設けられており、流路内を通過するカソードオフガスを加熱可能となっている。加熱部２７におけるカソードオフガスの加熱量は、上記ヒータへの通電量を制御することにより、調節することができる。
【００２７】
酸化排ガス路３３において、加熱部２７の下流側は、長さＬ（ｍ）、表面積Ｓ２（ｍ2）である配管によって構成されている。このような配管の端部は、排気口３４として、車両外に開口しており、この排気口３４を介してカソードオフガスを車両外に排出可能となっている。さらに、加熱部２７の下流側の酸化排ガス路３３では、加熱部２７との接続部近傍において、酸化排ガス路３３内を流れるカソ−ドオフガスの温度を検出するための第２温度センサ４５が設けられている。
【００２８】
Ｃ．燃料電池排ガスの加熱制御：
図３は、燃料電池システム１０の制御部５０において、燃料電池２２の発電中に繰り返し実行される加熱量制御処理ルーチンを表わすフローチャートである。この加熱量制御処理ルーチンは、酸化排ガス路３３全体における放熱量に基づいて、加熱部２７における加熱量を制御することにより、排気口３４からのカソードオフガスの排出に伴う液水の飛散を抑制する処理である。
【００２９】
また、図４は、燃料電池２２から排出されたカソ−ドオフガスにおける、燃料電池出口（ＦＣ出口）から排気口３４までの間の温度変化および湿度変化の様子を表わす説明図である。それぞれ、横軸は、ＦＣ出口からの配管長を示し、図４（Ａ）の縦軸は温度変化を示し、図４（Ｂ）の縦軸は湿度変化を示している。各図では、本実施例に基づく制御を行なったときの温度および湿度の変化を実線で示している。温度変化を示す図４（Ａ）では、燃料電池出口におけるカソ−ドオフガスの温度をＴ１、凝縮部５５出口におけるカソ−ドオフガスの温度をＴ２、加熱部２７出口におけるカソ−ドオフガスの温度をＴ３、排気口３４から排出される時のカソ−ドオフガスの温度をＴ４と表わしている。なお、燃料電池出口と凝縮部５５との間、および、凝縮部５５出口と加熱部２７との間を接続する配管は、いずれも短く、これらの部分からの放熱量が小さいため、図４では無視している。ここで、燃料電池２２から酸化排ガス路３３に排出された後、排気口３４から車両外部に放出されるまでの間の、カソ−ドオフガスに加えられる熱収支Ｐ（Ｗ）は、以下の（１）式によって表わすことができる。
【００３０】
Ｐ＝Ｆ×Ｃ×ΔＴ１＝−Ｐ１＋Ｐ２−Ｐ３              …（１）
ただし、Ｆ：カソ−ドオフガス量（ｍｏｌ／ｓ）、Ｃ：カソ−ドオフガス比熱（Ｊ／ｍｏｌ／℃）、ΔＴ１：排気口３４から排出される時のカソ−ドオフガス温度（目標排気温Ｔ４）より、燃料電池２２から排出されたときのカソ−ドオフガス温度（Ｔ１）を減算した値、Ｐ１：凝縮部５５における放熱量（Ｗ）、Ｐ２：加熱部２７における加熱量（Ｗ）、Ｐ３：酸化排ガス路３３における放熱量（Ｗ）。
【００３１】
上記（１）式から、加熱部２７において加熱すべき量としての加熱所要量Ｐ２は、以下の（２）式によって求めることができる。
【００３２】
Ｐ２＝Ｆ×Ｃ×ΔＴ１＋Ｐ１＋Ｐ３      …（２）
【００３３】
図３の加熱量制御処理ルーチンが実行されると、制御部５０のＣＰＵは、まず、外気温、第１および第２温度センサ検出値、カソ−ドオフガス量Ｆ、および車速を取得する（ステップＳ１００）。ここで、外気温は、既述した外気温センサからの検出信号によって取得する。第１温度センサの検出値は、燃料電池２２の内部温度を精度良く反映する値であり、本実施例では、後述するように、カソ−ドオフガスの燃料電池出口温度Ｔ１として用いている。第２温度センサの検出値は、加熱部２７を通過したカソ−ドオフガスの温度Ｔ３を示す値である。カソ−ドオフガス量Ｆは、酸化排ガス路３３に流量センサを設けて、この流量センサの検出値として取得しても良いし、演算により求めても良い。演算により求める場合には、例えば、制御部５０がブロワ２４に出力する駆動信号に基づいて求められる供給酸化ガス量から、燃料電池２２における発電量に基づいて求められる消費された酸素量を減算すると共に、燃料電池２２の内部温度における飽和蒸気圧に対応する水蒸気量を加算することにより求めることができる。車速は、既述した車速センサからの検出信号によって取得する。
【００３４】
次に、制御部５０のＣＰＵは、凝縮部５５における放熱量Ｐ１を算出する（ステップＳ１１０）。凝縮部５５における放熱量Ｐ１は、以下に示す（３）式によって求めることができる。
【００３５】
Ｐ１＝Ｓ１×Ｄ１    …（３）
ただし、Ｓ１：凝縮部５５において走行風が当たる配管部の表面積（ｍ2）、Ｄ１：放熱損失係数（Ｗ／ｍ2）。
【００３６】
ここで、凝縮部５５における走行風が当たる部分の表面積Ｓ１は、凝縮部５５の形状および凝縮部５５の車両内での配置により定まるものであり、予め測定されて制御部５０内に記憶されている。また、凝縮部５５における放熱損失係数Ｄ１は、凝縮部５５に供給されるカソ−ドオフガスの温度と、冷却に用いる走行風の温度と、の差としてのΔＴ２、および、走行風の強さを直接反映する車速に基づいて定まる値である。ΔＴ２を求める際に用いる凝縮部５５に供給されるカソ−ドオフガス温度は、ステップＳ１００で取得したカソ−ドオフガスの燃料電池出口温度Ｔ１を用いる。また、走行風の温度としては、ステップＳ１００で取得した外気温の温度を用いる。本実施例の制御部５０は、放熱損失係数Ｄ１を求めるためのマップとして、上記ΔＴ２と車速とに基づく２次元マップを記憶しており、ステップＳ１１０では、このマップを参照して放熱損失係数Ｄ１を求め、上記放熱量Ｐ１を算出している。
【００３７】
次に、制御部５０のＣＰＵは、酸化排ガス路３３における放熱量Ｐ３を算出する（ステップＳ１２０）。酸化排ガス路３３における放熱量Ｐ３は、以下に示す（４）式によって求めることができる。なお、酸化排ガス路３３における放熱は、酸化排ガス路３３全体で起こり得るが、本実施例では、特に走行風の影響を受けて放熱しやすい箇所である加熱部２７の下流側部分、すなわち、加熱部２７と排気口３４との間の部分における放熱のみを考慮している。
【００３８】
Ｐ３＝Ｓ２×Ｄ２    …（４）
ただし、Ｓ２：酸化排ガス路３３における加熱部２７と排気口３４との間の部分の表面積（ｍ2）、Ｄ２：放熱損失係数（Ｗ／ｍ2）。
【００３９】
ここで、酸化排ガス路３３における加熱部２７と排気口３４との間の部分の表面積Ｓ２は、予め測定されて制御部５０内に記憶されている。また、酸化排ガス路３３における上記した部分における放熱損失係数Ｄ２は、加熱部２７から排出されるカソ−ドオフガスの温度Ｔ３と、上記部分を冷却する走行風の温度、すなわち外気温と、の差としてのΔＴ３、および、走行風の強さを直接反映する車速に基づいて定まる値である。ΔＴ３を求める際に用いる加熱部２７から排出されるカソ−ドオフガス温度Ｔ３は、ステップＳ１００で取得した第２温度センサ４５の検出値を用いる。また、走行風の温度としては、ステップＳ１００で取得した外気温の温度を用いる。本実施例の制御部５０は、放熱損失係数Ｄ２を求めるためのマップとして、上記ΔＴ３と車速とに基づく２次元マップを記憶しており、ステップＳ１２０では、このマップを参照して放熱損失係数Ｄ２を求め、上記放熱量Ｐ３を算出している。
【００４０】
次に、制御部５０のＣＰＵは、加熱部２７における加熱所要量Ｐ２を算出する（ステップＳ１３０）。加熱所要量Ｐ２の算出は、既述した（２）式を利用して、ステップＳ１１０で算出した凝縮部５５における放熱量Ｐ１と、ステップＳ１２０で算出した酸化排ガス路３３における放熱量Ｐ３と、を用いて行なう。加熱所要量とは、既述したように、加熱部２７において加熱すべき熱量であり、具体的には、凝縮部５５および酸化排ガス路３３において所定の放熱量Ｐ１，Ｐ３が放熱されても、排気口３４におけるカソ−ドオフガス温度を目標排気温Ｔ４にするために、加熱部２７で加熱すべき熱量である。（１）式におけるΔＴ１は、目標排気温Ｔ４より、第１温度センサ４４の検出値としてのカソ−ドオフガス温度Ｔ１を減算した値である。
【００４１】
ここで、燃料電池２２から排出されたカソ−ドオフガスは、凝縮部５５において、含有する水蒸気の一部が凝縮水として除去されるが、残余の水蒸気を含むカソ−ドオフガスが、排気口３４において飽和蒸気圧に達しないように、上記した目標排気温Ｔ４が設定されている。図４（Ｂ）では、燃料電池出口および凝縮部５５からの排出時にほぼ１００％であったカソ−ドオフガス中の飽和蒸気圧が、加熱部２７で加熱されることで大きく低下し、その後、酸化排ガス路３３の配管内で降温することにより次第に上昇し、１００％に達しないうちに、カソ−ドオフガスが排気口３４から排出される様子を示している。凝縮部５５では、冷却のために走行風を利用しているため、凝縮部５５で水蒸気量を削減する際には、カソ−ドオフガスにおける蒸気圧を、外気温の飽和蒸気圧以下にすることはできない。そのため、目標排気温Ｔ４は、外気温よりも充分に高い温度として設定している。排気口３４から排出されるカソードオフガスは、理論的には、凝縮部５５の出口温度よりも高温であれば、飽和蒸気圧に達しないと考えられるため、目標排気温Ｔ４は、凝縮部５５から排出されるカソードオフガス温度（図４中のＴ２）を測定して、この温度よりも充分に高い温度として設定しても良い。ただし、排気口から排出されるカソ−ドオフガスの温度が、外気温に比べて高すぎる場合には、排気口からの排出後直ちに水蒸気が凝縮して、排気口近傍に液滴が飛散したり、排気口から白煙が上がる場合がある。そのため、このような不都合を抑えるために、目標排気温Ｔ４と外気温との差であるΔＴ１は、２０℃程度とすることが望ましい。（１）式におけるＣは、既述したようにカソ−ドオフガス比熱であり、本実施例では、制御部５０内に予め記憶されている。
【００４２】
次に、制御部５０のＣＰＵは、加熱部２７における加熱目標量Ｐ２’を算出する（ステップＳ１４０）。加熱目標量Ｐ２’は、以下の（５）式に基づいて求められる。
【００４３】
Ｐ２’＝Ｐ２×α    …（５）
ただし、α：安全率。
【００４４】
ここで、安全率とは、カソ−ドオフガスの流量の変動や、各センサにおける検出誤差等を考慮して、適宜設定して、予め制御部５０内に記憶しておいた値である。加熱目標量Ｐ２’を算出すると、制御部５０のＣＰＵは、加熱目標量Ｐ２’に相当する熱量を発生するように、加熱部２７が備えるヒ−タに対して駆動信号を出力して（ステップＳ１５０）、本ル−チンを終了する。
【００４５】
以上のように構成された本実施例の燃料電池システム１０によれば、排気口３４においてカソ−ドオフガスの蒸気圧が飽和蒸気圧に達しないように、加熱部２７における加熱量を制御しているため、排気口３４からの液水の飛散を抑制することができる。このとき、凝縮部５５および酸化排ガス路３３における放熱量に基づいて、加熱部２７における加熱量を求めているため、車速や外気温、あるいは燃料電池出口温度が変動する場合であっても、排気口３４からの液水の飛散を、安定して抑制することができる。
【００４６】
図４では、実施例の燃料電池システム１０における加熱制御を行なう場合を実線で表わすと共に、さらに、加熱部２７における加熱量が不十分である場合の様子を、破線で示している。加熱部２７における加熱量が不十分であると、加熱部２７の出口部におけるカソ−ドオフガス温度がより低くなり、排気口３４におけるカソ−ドオフガス温度もより低くなる。このように排気口３４に到達するまでのカソ−ドオフガス温度がより低い場合には、酸化排ガス路３３内において、カソ−ドオフガス中の水蒸気圧が飽和蒸気圧に達し、水蒸気が凝縮するため、排気口３４から液水が飛散することになる。本実施例では、既述した制御により、排気口３４におけるカソ−ドオフガス中の水蒸気圧を、飽和蒸気圧未満に抑えている。
【００４７】
Ｄ．第２実施例：
第１実施例では、凝縮部５５および酸化排ガス路３３における放熱量Ｐ１、Ｐ３に基づいて、加熱部２７における加熱量Ｐ２を制御したが、異なる構成としても良い。例えば、加熱部２７における加熱量Ｐ２および酸化排ガス路３３における放熱量Ｐ３に基づいて、凝縮部５５における放熱量Ｐ１を制御しても良い。このような構成を、第２実施例として以下に説明する。
【００４８】
図５は、第２実施例の燃料電池システムにおけるカソ−ドオフガスの排出に係る構成を表わす説明図である。第２実施例の燃料電池システムは、第１実施例の燃料電池システムと類似した構成を有するため、共通する部分には同じ参照番号を付して、詳しい説明を省略する。第２実施例の燃料電池システムは、凝縮部５５に対する走行風の流れを遮断する位置に、開度を調節可能な開口部を備えるエアシャッタ５９を備えている。このエアシャッタ５９は、制御部５０からの駆動信号によって開口部の開度が調節される。エアシャッタ５９開口部の開度によって、凝縮部５５において走行風が当たる配管部の表面積Ｓ１が変化して、凝縮部５５における放熱の効率が変化する。
【００４９】
図６は、燃料電池システム１０の制御部５０において、燃料電池２２の発電中に繰り返し実行される放熱量制御処理ルーチンを表わすフローチャートである。この放熱量制御処理ルーチンは、加熱部２７における加熱量Ｐ２および酸化排ガス路３３における放熱量Ｐ３に基づいて、凝縮部５５における放熱量Ｐ１を制御することにより、排気口３４からのカソードオフガスの排出に伴う液水の飛散を抑制する処理である。
【００５０】
また、図７は、燃料電池２２から排出されたカソ−ドオフガスにおける、燃料電池出口（ＦＣ出口）から排気口３４までの間の温度変化および湿度変化の様子を表わす説明図である。それぞれ、横軸は、ＦＣ出口からの配管長を示し、図７（Ａ）の縦軸は温度変化を示し、図７（Ｂ）の縦軸は湿度変化を示している。各図では、本実施例に基づく制御を行なったときの温度および湿度の変化を実線で示している。温度変化を示す図７（Ａ）では、燃料電池出口におけるカソ−ドオフガスの温度をＴ１、凝縮部５５出口におけるカソ−ドオフガスの温度をＴ２、加熱部２７出口におけるカソ−ドオフガスの温度をＴ３、排気口３４から排出される時のカソ−ドオフガスの温度をＴ４と表わしている。また、図４と同様に、燃料電池出口と凝縮部５５との間、および、凝縮部５５出口と加熱部２７との間を接続する配管からの放熱量は、無視している。
【００５１】
第２実施例の燃料電池システムにおいても、第１実施例と同様に、燃料電池２２から酸化排ガス路３３に排出された後、排気口３４から車両外部に放出されるまでの間の、カソ−ドオフガスに加えられる熱収支Ｐ（Ｗ）は、既述した（１）式によって表わすことができる。そのため、（１）式より、凝縮部５５において放熱すべき放熱所要量Ｐ１は、以下の（６）式によって求めることができる。
【００５２】
Ｐ１＝−Ｆ×Ｃ×ΔＴ１＋Ｐ２−Ｐ３      …（６）
【００５３】
図６の放熱量制御処理ルーチンが実行されると、制御部５０のＣＰＵは、まず、ステップＳ１００と同様に、外気温、第１および第２温度センサ検出値、カソ−ドオフガス量Ｆ、および車速を取得する（ステップＳ２００）。次に、制御部５０のＣＰＵは、加熱部２７における加熱量Ｐ２を取得する（ステップＳ２１０）。加熱量Ｐ２は、予め定められて制御部５０に記憶されており、ステップＳ２１０では、この予め定められた値を読み込む。
【００５４】
次に、制御部５０のＣＰＵは、酸化排ガス路３３における放熱量Ｐ３を算出する（ステップＳ２２０）。このステップＳ２２０は、第１実施例のステップＳ１２０と同様の処理である。
【００５５】
その後、制御部５０のＣＰＵは、凝縮部５５における放熱所要量Ｐ１を算出する（ステップＳ２３０）。放熱所要量Ｐ１の算出は、既述した（６）式を利用して、ステップＳ２１０で取得した加熱部２７における加熱量Ｐ２と、ステップＳ２２０で算出した酸化排ガス路３３における放熱量Ｐ３と、を用いて行なう。放熱所要量Ｐ１とは、既述したように、凝縮部５５において放熱すべき熱量であり、具体的には、加熱部２７において所定の加熱量Ｐ２が加熱され、酸化排ガス路３３において所定の放熱量Ｐ３が放熱されても、排気口３４におけるカソ−ドオフガス温度を目標排気温Ｔ４にするために、凝縮部５５で放熱すべき熱量である。目標排気温Ｔ４は、第１実施例と同様に、排気口３４に到達するカソードオフガス中の蒸気圧よりも飽和蒸気圧が高くなる温度として、外気温よりも高い温度に設定されるが、外気温に対する温度差は、第１実施例よりも小さくすることができる。（６）式におけるΔＴ１は、目標排気温Ｔ４から、第１温度センサ４４の検出値としてのカソ−ドオフガス温度Ｔ１を減算した値である。また、カソードオフガス量Ｆは、ステップＳ２００で取得した値であり、カソードオフガス比熱Ｃは、制御部５０内に予め記憶されている。
【００５６】
次に、制御部５０のＣＰＵは、放熱所要量Ｐ１を満たす面積Ｓ１を、既述した（３）式に基づいて算出する（ステップＳ２４０）。面積Ｓ１とは、既述したように、凝縮部５５において走行風が当たる配管部の表面積である。ステップＳ２３０で算出した放熱所要量Ｐ１と、第１実施例と同様にしてΔＴ２および車速に基づく２次元マップを参照して求められる放熱損失係数Ｄ１とを、（３）式に代入することにより、放熱所要量Ｐ１を実現する面積Ｓ１を求めることができる。その後、制御部５０のＣＰＵは、ステップＳ２４０で求めた面積Ｓ１を満たすようにエアシャッタ５９に対して駆動信号を出力して（ステップＳ２５０）、本ルーチンを終了する。
【００５７】
以上のように構成された本実施例の燃料電池システムによれば、排気口３４においてカソ−ドオフガスの蒸気圧が飽和蒸気圧に達しないように、凝縮部５５における放熱量を制御しているため、排気口３４からの液水の飛散を抑制することができる。このとき、加熱部２７における加熱量および酸化排ガス路３３における放熱量に基づいて、凝縮部５５における放熱量を求めているため、車速や外気温、あるいは燃料電池出口温度が変動する場合であっても、排気口３４からの液水の飛散を、安定して抑制することができる。
【００５８】
図７では、第２実施例の燃料電池システムにおける加熱制御を行なう場合を実線で表わすと共に、さらに、凝縮部５５における放熱量が不十分である場合の様子を、破線で示している。凝縮部５５における放熱量が不十分であると、凝縮部５５における水蒸気削減量がより少なくなり、カソードオフガスが酸化排ガス路３３内を排気口３４に向かって流れつつ次第に降温される途中で、蒸気圧が飽和蒸気圧に達してしまう。このように排気口３４に達するまでに飽和蒸気圧が低下することにより、カソードオフガス中の蒸気圧が飽和蒸気圧に達すると、排気口３４から液水が飛散することになる。本実施例では、凝縮部５５における放熱量を制御することにより、排気口３４におけるカソ−ドオフガス中の水蒸気圧を、飽和蒸気圧未満に抑えることができる。
【００５９】
Ｅ．変形例：
なお、この発明は上記の実施例や実施形態に限られるものではなく、その要旨を逸脱しない範囲において種々の態様において実施することが可能であり、例えば次のような変形も可能である。
【００６０】
Ｅ１．変形例１（加熱部の変形）：
上記第１および第２実施例では、加熱部２７は、ヒ−タで生じる熱によってカソ−ドオフガスを加熱することとしたが、異なる構成としても良い。例えば、加熱部２７は、ヒ−タに代えて酸化触媒を備えることとして、酸化触媒上に燃料（例えば、燃料電池２２に供給する燃料ガスと同じ水素含有ガスや、アノ−ドオフガス）および酸素を供給し、上記燃料が酸化（燃焼）される際に生じる熱によって加熱を行なっても良い。このような構成を第１実施例に適用する場合には、ステップＳ１５０において、加熱目標量Ｐ２’に相当する熱量を発生可能となる量の燃料が加熱部２７に供給される様に、制御部５０のＣＰＵから、加熱部２７に燃料を供給する燃料供給部へと駆動信号を出力すればよい。
【００６１】
あるいは、加熱部２７における加熱のために、燃料電池２２で生じる熱を利用しても良い。例えば、冷媒循環部４０の冷媒流路４２を、加熱部２７に引き回し、燃料電池２２から排出された冷媒が有する熱を利用して、カソ−ドオフガスの加熱を行なっても良い。このような構成とすれば、カソ−ドオフガスの加熱のために消費するエネルギを削減することが可能になる。このような構成を第１実施例に適用する場合には、ステップＳ１５０において、加熱目標量Ｐ２’に相当する熱量がカソ−ドオフガスに伝えられるように、加熱部２７に供給する冷媒流量を調節すればよい。このとき、冷媒流路４２全体を加熱部２７に引き回して、冷媒ポンプ４３の駆動量によって冷媒流量を調節してもよいし、冷媒流路４２から分岐するバイパス流路を加熱部２７に引き回して、バイパス流路に流入させる冷媒流量を調節しても良い。
【００６２】
また、燃料電池２２を、加熱部２７の近傍に配置して、燃料電池２２と加熱部２７とを相互に伝熱可能に接続し、燃料電池２２で発生する熱を利用してカソ−ドオフガスの加熱を行なっても良い。このような構成とすれば、カソ−ドオフガスの加熱のために消費するエネルギを削減することが可能になる。このような構成を第２実施例に適用する場合には、燃料電池２２の温度、および、燃料電池２２と加熱部２７との間の伝熱効率に基づいて、ステップＳ２１０において加熱量Ｐ２を求めればよい。
【００６３】
また、上記した構成を組み合わせて用いることとしても良い。例えば、加熱部２７における加熱のために、ヒ−タを用いる構成と、燃料電池の冷媒を用いる構成とを組み合わせることができる。このような場合には、燃料電池２２の起動時のように冷媒温度が低いときにはヒータを用い、燃料電池２２が定常状態であるときには冷媒を用いることにより、充分な加熱と消費エネルギの削減とを両立することができる。
【００６４】
Ｅ２．変形例２（凝縮部の変形）：
第１および第２実施例では、凝縮部５５は、走行風を利用してカソ−ドオフガスを冷却することとしたが、異なる構成としても良い。例えば、第１実施例において、燃料電池システム１０が備える燃料ガス供給部２３が、高圧の水素を貯蔵する水素タンクである場合には、上記水素タンクと凝縮部とを、相互に伝熱可能に接続し、カソ−ドオフガスを冷却しても良い。高圧水素タンクが水素を放出する際には、断熱膨張により水素温度が下がり、水素タンクの温度が低下する。このような水素タンクの吸熱の動作を利用して、カソ−ドオフガスを冷却することができる。このような構成を第１実施例に適用する場合には、水素タンク内の圧力および水素タンクからの水素放出量に基づいて、水素タンクの吸熱量を求め、さらに水素タンクと凝縮部５５との間の伝熱効率を考慮して、ステップＳ１１０において凝縮部５５からの放熱量Ｐ１を求めればよい。
【００６５】
あるいは、第１実施例において、凝縮部５５を、カソ−ドオフガスよりも温度および水蒸気圧の低い燃料ガスあるいは酸化ガスと熱交換および水蒸気交換する加湿器として形成しても良い。例えば、凝縮部５５を、酸化ガスを加湿する加湿器とする場合には、凝縮部に水蒸気透過性を有する膜を設け、この水蒸気透過性膜によって、酸化ガス供給路３２と酸化排ガス路３３とを隔てればよい。このような構成とすることで、カソ−ドオフガスの温度を低下させると共に、含有水蒸気量を低減することができる。この場合には、水蒸気透過性膜を介した凝縮部における熱交換効率に基づいて、ステップＳ１５０において凝縮部５５からの放熱量Ｐ１を求めればよい。
【００６６】
Ｅ３．変形例３（加熱制御と放熱制御の組み合わせ）：
第１実施例で示した加熱部２７における加熱量の制御と、第２実施例で示した放熱量の制御とを、組み合わせることとしても良い。例えば、凝縮部５５における放熱量の制御を優先的に行ない、エアシャッタ５９の開度を最大にしても放熱量が不足する場合には、加熱部２７における加熱量を制御することができる。このような構成とすれば、凝縮部５５における放熱量の制御だけでは排気口３４から排出されるカソードオフガス温度を目標温度に制御できない場合であっても、加熱部２７における加熱量制御を用いることで、排気口３４からの液水の飛散を抑制することが可能になる。
【００６７】
Ｅ４．変形例４（放熱制御の変形）：
第１および第２実施例では、カソ−ドオフガスからの放熱として、凝縮部５５における放熱と、加熱部２７の下流側の酸化排ガス路３３における放熱のみを考慮したが、異なる構成としても良い。例えば、酸化排ガス路３３からの放熱Ｐ３として、燃料電池出口と凝縮部５５との間、および、凝縮部５５と加熱部２７との間を接続する部分における放熱を、さらに考慮しても良い。
【００６８】
あるいは、加熱部２７の下流側の酸化排ガス路３３における放熱量Ｐ３は、考慮することなく、第１実施例の加熱制御あるいは第２実施例の放熱制御を行なっても良い。例えば、酸化排ガス路３３における加熱部２７の下流側において、断熱材（例えば、グラスウール）を巻く、あるいは伝熱性の小さい樹脂材料により形成することで、放熱量を無視できる程度に小さくすればよい。このような場合には、第１実施例では、少なくとも、燃料電池から排出されるときのカソードオフガス温度と、凝縮部からの放熱量と、に基づいて、加熱量の制御を行なえば良い。また、第２実施例では、少なくとも、燃料電池から排出されるときのカソードオフガス温度と、加熱部による加熱量と、に基づいて、放熱量の制御を行なえば良い。
【００６９】
Ｅ５．変形例５（排出ガスの変形）：
第１および第２実施例では、カソードオフガスについて、排気に伴う外部への液水の飛散を抑制しているが、異なる構成としても良い。例えば、アノードから排出されるアノードオフガスの排出において、本願発明を適用しても良い。例えば、燃料ガスとして水素ガスを用い、アノードオフガスを再びアノードに供給して、燃料ガスを循環させるシステムにおいて、循環する燃料ガスの一部を所定のタイミングでガス流路外に排出させて、循環する燃料ガス中の不純物濃度を抑える場合がある。このように排出される燃料ガスを外部に放出する動作において、本願発明を適用して液水の飛散を抑制することができる。また、排出される燃料ガスをカソード排ガスに混合して希釈した後に外部に放出する場合には、アノードオフガスとカソードオフガスの混合ガスの放出の動作において。本願発明を適用できる。制御の対象となる排出ガスが、少なくともカソードオフガスを含む場合には、発電に伴って生じた生成水が、液水として車両外部に飛散することを抑制可能となる。制御の対象となる排出ガスが、少なくとも循環する燃料ガスを含む場合には、循環の過程で燃料ガス中に蓄積された水蒸気に起因する車両外部への液水の飛散を抑制可能となる。
【００７０】
Ｅ６．変形例６（システム構成の変形）：
第１および第２実施例では、燃料電池２２は、固体高分子型燃料電池としたが、異なる構成としても良い。例えば、固体酸化物型燃料電池とすることができる。電気化学反応に伴い電極で水が生じ、水蒸気含有量の多い排ガスが放出される燃料電池であれば、本発明を適用することにより同様の効果が得られる。
【００７１】
また、本発明の燃料電池システムは、車両以外の移動体に、駆動用電源として搭載することとしても良い。駆動用電源とは、直接に駆動エネルギを出力する他、発電した電気を一旦２次電池などの蓄電部に蓄電した後に、駆動用エネルギとして用いても良く、直接的、あるいは間接的に、駆動エネルギを発生する電源として搭載されていれば良い。
【図面の簡単な説明】
【００７２】
【図１】燃料電池システム１０の概略構成を表わすブロック図である。
【図２】カソードオフガスの排出に係る構成の概略を表わす説明図である。
【図３】加熱量制御処理ルーチンを表わすフローチャートである。
【図４】カソ−ドオフガスの温度変化および湿度変化を表わす説明図である。
【図５】カソ−ドオフガスの排出に係る構成を表わす説明図である。
【図６】放熱量制御処理ルーチンを表わすフローチャートである。
【図７】カソ−ドオフガスの温度変化および湿度変化を表わす説明図である。
【符号の説明】
【００７３】
１０…燃料電池システム
２２…燃料電池
２３…燃料ガス供給部
２４…ブロワ
２７…加熱部
３０…燃料ガス供給路
３１…燃料排ガス路
３２…酸化ガス供給路
３３…酸化排ガス路
３４…排気口
４０…冷媒循環部
４１…ラジエータ
４２…冷媒流路
４３…冷媒ポンプ
４４…第１温度センサ
４５…第２温度センサ
５０…制御部
５５…凝縮部
５６…接続流路
５７…弁
５８…貯留タンク
５９…エアシャッタ
【図１】
2009283243.tif 000003
【図２】
2009283243.tif 000004
【図３】
2009283243.tif 000005
【図４】
2009283243.tif 000006
【図５】
2009283243.tif 000007
【図６】
2009283243.tif 000008
【図７】
2009283243.tif 000009